(57)【要約】【課題】従来釣り竿受けは磯の岩等に金属製の支柱を打ち込み、その支柱に取り付けるか、クーラーＢＯＸ等に直接取り付ける釣竿受けしかなく、テトラポット等で魚釣りをする時に使用するのに要望を満たす最適な釣竿受けがなかった、テトラポットに釣竿を横に置いたり、立て掛けたりすると、釣竿にキズが付いたり、足元が狭くなり危険にもつながり釣竿を置く場所に非常に苦労していた。【解決手段】釣り竿受けは、従来から普及されている釣り竿受けを使用できる支柱２本を台木に取り付け、長さに差をつけ釣竿２本が上下に置けるよう工夫した装置とした。さらにその装置を、テトラポット取り付ける為の方法として、布製平ベルトをテトラポット等に回し、ラチェットで締めつける事により支柱付き台木を簡単かつ確実強固に取り付ける事が出きた。【選択図】  図４
2005006609.tif 000002
【特許請求の範囲】
【請求項１】
魚釣り竿を使用して魚釣りをする時に使用する、釣り竿受を固定する金属製支柱１及び２を台木４に取り付けた装置。
【請求項２】
締めつけ平ベルト１４に取り付けているラチェット１２、を使い取り付け平ベルト１５を締めつける事により、テトラポット等、取り付け平ベルト１５が巻ける場所すべてに請求項１の魚釣り竿受を固定する金属製支柱の取り付けた装置を固定する行為及び方法
【請求項３】
請求項２の平ベルト１４，１５の材質はテトラポット等から滑ることを防ぐ目的の為合成繊維などの布製平ベルトとした請求項２に関する装置。
【発明の詳細な説明】
【０００１】
【発明の属する技術分野】
この発明は、例えばテトラポット等で釣り竿を使用して魚釣りをするときに使用する、釣り竿受を取り付ける支柱１及び２が付いた台木４を、平ベルトとラチェットを使いテトラポット等に固定する装置に関するものである。
【０００２】
【従来の技術】
釣り竿受けを取り付ける支柱図３は岩の割れ目等に直接ハンマー等で打ち込むか、あるいは穴をあけてさし込むしかなく、よって、テトラポット等の場合取り付けができないか、穴をあけ取り付けていた。
【０００３】
テトラポット等で釣り竿を使用して魚釣りをする場合、テトラポット等は平坦な場所が非常に少なく足元に釣り竿等を置くと危険なこともある。
【０００４】
テトラポット等で釣り竿を使用して魚釣りをする場合、釣竿を直接テトラポットに横に置く事が多く釣り竿にキズが付き釣り竿の価値を下げ、強度も著しく弱くしている。
【０００５】
テトラポット等で釣り竿を使用して魚釣りをする場合、釣り竿の先を水面の上までだしておかないと、釣り糸がテトラポット等でこすれたり、テトラポット等に巻きついたりする。
【０００６】
テトラポット等で魚釣りをする場合、イケス等を吊り下げる方法に困る。
【発明が解決しようとする課題】
【０００７】
釣り竿により魚釣りをする場合、釣り竿受けがあればより楽に魚釣りをすることが出きるが、テトラポット等の場合釣り竿受けの取り付けができない為、簡単に釣り竿受けを取り付けができる方法を、発明が解決しようとする課題とした。
【０００８】
テトラポット等で魚釣りをする場合、足元が狭く移動すら困難な場合も多く、そうした場所で４〜５ｍの釣り竿をいかに扱うかが釣り人の大きな問題点となる点を解決しようとする課題とした。
【０００９】
前記により釣り竿をいかに扱うかだが、釣り竿を出きるだけ水際に対して直角におき水面に釣り竿の先が出るよう釣り竿を置く方法を課題とした。
【００１０】
テトラポット等で魚釣りをする場合、足元が狭く平坦な場所もない、しかも足元の下は水面の所が多く道具は出きるだけ浮力がある方が有利である事も課題とした。
【００１１】
魚釣りを趣味とする人口はひじょうにおおく、それだけに道具も色々と販売され、釣り竿受けもその１つで釣り人の半数近い方がすでに持っていると思われる釣り竿受けを利用出来るよう考慮することとした。
【００１２】
魚釣りに行くための荷物（道具）は以外と多く、重い、両手で持てない事もある程である、よって出きるだけ軽くかさばらないことも課題とした。
【課題を解決するための手段】
【００１３】
前記の目的を達成するため一般に普及使用している釣り竿受が使用できる装置とし、台木４に支柱１及び２を取り付け、平ベルト１４及び１５をラチェット１２で締めることにより支柱１及び２の取り付けた台木４を固定する装置を発明した。
【００１４】
台木４に取り付ける支柱１及び２は２本とし長さに１０〜１５ｃｍの差を付けることにより、釣り竿受けに置く２本の釣り竿が上下に交差出きるようにした。
【００１５】台木４に取り付ける支柱１および２の太さは、直径１２ｍｍと直径１３ｍｍの２種類とし要望合わせ取り替えが出きるよう考慮しその取り付け方法はナット６締めとした。
【００１６】
台木４に取り付ける支柱１が下の位置で折れ曲がるようにし、支柱１及び２を取り付けた状態でも、持ち運びが容易にできるようにした。
【００１７】
台木４の材質は軽く、強い天然無垢木材を使用することで、必要な浮力も確保した。
【００１８】
台木４の設置面にすべり止めゴム１８を埋め込み、台木４がずれることや、コンクリ−ト等でいたむのを防ぎ、天然無垢木材に塗装をし、商品価値を高めた。
【００１９】
この装置は大きく分けて、台木４部分・支柱１及び２部分・ラチェット１２及びフック１３が付いた締めつけベルト１４部分・取り付けベルト１５部分・の４部分に分けられるがテトラポットの上等で取り扱うことを考慮し総てを一体にするため、台木４に締めつけベルト１４を補助具１１で止めることにより解決した。
【００２０】
締めつけベルト１４を直接台木４に固定せず補助具１１で止めることにより、ラチェット１２で締めつけたとき台木４が移動するのをふせぎ、台木４と締めつけベルト１４の角度にある程度余裕ができる。
【発明の実施の形態】
図４はこの出願に係る発明の実施の形態を示す斜視図であり、台木４部分・支柱１及び２部分・ラチェット１２、フック１３が付いた締めつけベルト１４部分・取り付けベルト１５部分・の４部分で構成されている。
【００２１】
上記の（図２）台木部分の材質は、軽く強い天然無垢木材を使用することで、必要な浮力も確保し、設置面（裏面）にすべり止めゴム１８を埋め込み、台木４が取り付け場所からずれることや、コンクリ−ト等でいたむの少なくした、又天然無垢木材に塗装をし、強度と商品価値を高めた。
【００２２】
台木４にイケス等を吊り下げが出きる丸輪５をとりつけた。
【００２３】
台木４に図３長さの違う支柱１及び２に２本取り付けることとし、材質は、スチール及びステンレスの２種類で太さも直径１２ｍｍ及び直径１３ｍｍ２通りとし、一般に普及使用している釣り竿受を取り付けることができる支柱とした。
【００２４】
次に締めつけベルト１４に取り付けたラチェットはに市販品を使用し取り付けベルト１５の平ベルトの丸輪１７を締めつけベルト１４のＳフック１３の太さ合わせることでテトラポット等に取り付ける時Ｓフック１３から平ベルトの丸輪１７が外れるのを防ぎ、取り付けベルト１５の片側１６にリベットを取り付け平ベルトがラチェットから抜け落ちるのをなくした。
【００２５】
図４はこの出願に係る発明の装置全体図であるが釣り竿受けをテトラポット等に取り付ける方法として取り付け平ベルト１４をテトラポット等の周囲に回し、締めつけ平ベルト１４に付けているラチェット１２により取り付け平ベルト１４を締めつけることにより台木４に支柱１及び２を取り付けた装置を確実強固にテトラポット等に取り付ける行為及び方法がこの出願に係る発明の実施の形態にとって重要な一つである。
【００２６】
【発明の効果】
この出願に係る発明は以上説明したとおり、テトラポット等で魚釣竿を使用して魚釣りをする場合、この装置をテトラポット等に取り付け利用する事により、釣り竿、釣り糸にキズ等を付くのを防ぎ、釣り糸がテトラポット等にからむのも防ぐことができる。
【００２７】
尚足元が釣り竿で邪魔される事もなく転落事故等から体を守る事にもつながる。
【００２８】
更に当然の事ながら釣り竿を簡単に置けることにより両手が使用でき、釣りエサの交換などの手際が良くなり、釣り果も良くなる。
【００２９】
この出願に係る発明は、テトラポットに穴をあける等違反行為を防止するにも一役果している。
【００３０】
【図面の簡単な説明】
【図１】この出願に係る発明の実施の形態で装置の分解状態を示す斜視図である。
【図２】この出願に係る発明の実施の形態で台木部分を示す斜視図である。
【図３】従来の釣り竿受けを取り付ける支柱、岩等の隙間に打ち込むタイプ
【図４】この出願に係る発明の実施の形態で装置全体の斜視図である。
【符号の説明】
１  支柱
２  支柱
３  支柱大折り曲固定パイプ
４  支柱取り付け台木
５  イケス吊り
６  支柱固定ナット
７  支柱固定ワッシ
８  支柱固定ワッシ
９  支柱固定ナット
１０  支柱固定スプリングワッシャ
１１  締めつけベルト取り付け部品
１２  ラチェット
１３  フック
１４  締めつけ平ベルト
１５  取り付け平ベルト
１６  取り付け平ベルトハトメ側
１７  取り付け平ベルト丸輪側
２０  従来の打ち込み型支柱
【図１】
2005006609.tif 000003
【図２】
2005006609.tif 000004
【図３】
2005006609.tif 000005
【図４】
2005006609.tif 000006